(57)【要約】【課題】遊技機の貯留タンクに対して遊技媒体を補給する場合の第三者又は店員による不正を正確かつ効率良く検知することを課題とする。【解決手段】ホールコンピュータ１３が、パチスロ機１０から前回ＮＥ信号を受信してからの投入メダル枚数（Ａ）、払出メダル枚数（Ｃ）及び貸しメダル枚数（Ｄ）を計数しておき、次のＮＥ信号を受信した際に、補給メダル枚数（Ｂ）を合わせた関係式「Ａ＋Ｂ≒Ｃ＋Ｄ」が成立するか否かを調べ、この関係式が成立する場合には不正が行われていないと判定してメダル補給を行うとともに、この関係式が成立しない場合には不正が行われたものと判定する。【選択図】        図２
2008073248.tif 000002
【特許請求の範囲】
【請求項１】
遊技媒体を貯留する貯留タンクを内在する遊技機と、該遊技機からの補給要求に応答して遊技媒体の補給指示を行う管理装置と、前記管理装置からの補給指示に応答して前記遊技機に補給すべき所定数の遊技媒体を排出する遊技媒体補給装置とを有する遊技媒体貸出システムであって、
前記管理装置は、
前記遊技機から補給要求を受け付けた際に、該遊技機から前回補給要求を受け付けた以降の当該遊技機の貯留タンクへの遊技媒体の補給実績、遊技媒体の払出実績及び遊技媒体の投入実績に基づいて不正の有無を検知する不正検知手段と、
前記不正検知手段により不正が検知されない場合にのみ、前記遊技媒体補給装置に対して補給指示を行う補給指示手段と
を備えたことを特徴とする遊技媒体貸出システム。
【請求項２】
前記管理装置は、
前記遊技機への遊技媒体の投入数、該遊技機からの遊技媒体の払出数、該遊技機又は該遊技機に併設された遊技媒体貸出装置からの遊技媒体の貸出数を各遊技機の識別情報に対応づけて記憶する記憶手段と、
前記遊技機から受信したアウト信号に基づいて前記記憶手段に記憶した遊技媒体の投入数を更新し、前記遊技機から受信したセーフ信号に基づいて前記記憶手段に記憶した遊技媒体の払出数を更新し、前記遊技機又は該遊技機に併設された遊技媒体から受信した売上信号に基づいて前記記憶手段に記憶した遊技媒体の貸出数を更新する更新手段とをさらに備え、
前記不正検知手段は、前記遊技機の貯留タンク内の不足状況を示すニアエンプティ信号を受信した場合に、前記遊技機に対する遊技媒体の補給数並びに前記記憶手段に記憶された当該遊技機に係る遊技媒体の投入数、遊技媒体の払出数及び遊技媒体の貸出数に基づいて不正の有無を検知する
ことを特徴とする請求項１に記載の遊技媒体貸出システム。
【請求項３】
前記不正検知手段は、前記遊技機に対する遊技媒体の補給数及び当該遊技機に係る遊技媒体の投入数の和と、当該遊技機への遊技媒体の払出数及び遊技媒体の貸出数の和との差が所定値以下である場合には不正が発生していないと判定し、両者の差が所定値よりも大きい場合には不正が発生したものと判定することを特徴とする請求項２に記載の遊技媒体貸出システム。
【請求項４】
遊技媒体を貯留する貯留タンクを有し、該貯留タンク内の遊技媒体の残数が少なくなった場合に管理装置に対して遊技媒体の補給要求を行う遊技機であって、
前記貯留タンク内に貯留した遊技媒体数が不足状態又は不足状態に近い状態であるか否かを検知する検知手段と、
前記検知手段により不足状態又は不足状態に近い状態が検知された場合に、該遊技機から前回補給要求を行った以降の当該遊技機の貯留タンクへの遊技媒体の補給実績、遊技媒体の払出実績及び遊技媒体の投入実績に基づいて不正の有無を検知する不正検知手段と、
前記不正検知手段により不正が検知されない場合には前記管理装置に対して補給要求を通知し、前記不正検知手段により不正が検知された場合には前記管理装置に対して不正検知を通知する通知手段と
を備えたことを特徴とする遊技機。
【請求項５】
前記遊技機への遊技媒体の投入数、該遊技機からの遊技媒体の払出数、該遊技機又は該遊技機に併設された遊技媒体貸出装置からの遊技媒体の貸出数を記憶する記憶手段と、
前記遊技機に遊技媒体が投入される都度前記記憶手段に記憶した遊技媒体の投入数を更新し、前記遊技機から遊技媒体が払い出される都度前記記憶手段に記憶した遊技媒体の払出数を更新し、前記遊技機又は該遊技機に併設された遊技媒体から遊技媒体が貸し出される都度前記記憶手段に記憶した遊技媒体の貸出数を更新する更新手段とをさらに備え、
前記不正検知手段は、前記遊技機の貯留タンク内の不足状況又は不足状況の近い状況が検知された場合に、前記遊技機に対する遊技媒体の補給数並びに前記記憶手段に記憶された遊技媒体の投入数、遊技媒体の払出数及び遊技媒体の貸出数に基づいて不正の有無を検知する
ことを特徴とする請求項４に記載の遊技機。
【請求項６】
前記不正検知手段は、前記遊技機に対する遊技媒体の補給数及び遊技媒体の投入数との和と、遊技媒体の払出数及び遊技媒体の貸出数の和との差が所定値以下である場合には不正が発生していないと判定し、両者の差が所定値よりも大きい場合には不正が発生したものと判定することを特徴とする請求項５に記載の遊技機。
【請求項７】
遊技媒体を貯留する貯留タンクを内在する遊技機と、該遊技機からの補給要求に応答して遊技媒体の補給指示を行う管理装置と、前記管理装置からの補給指示に応答して前記遊技機に補給すべき所定数の遊技媒体を排出する遊技媒体補給装置とを有する遊技媒体貸出システムの不正検知方法であって、
前記管理装置が前記遊技機から補給要求を受け付けた際に、該遊技機から前回補給要求を受け付けた以降の当該遊技機の貯留タンクへの遊技媒体の補給実績、遊技媒体の払出実績及び遊技媒体の投入実績に基づいて不正の有無を検知する不正検知工程と、
前記不正検知工程により不正が検知されない場合にのみ、前記遊技媒体補給装置に対して補給指示を行う補給指示工程と
を含んだことを特徴とする遊技媒体貸出システムの不正検知方法。
【発明の詳細な説明】
【技術分野】
【０００１】
本発明は、遊技媒体を貯留する貯留タンクを内在する遊技機と、該遊技機からの補給要求に応答して遊技媒体の補給指示を行う管理装置と、この管理装置からの補給指示に応答して遊技機に補給すべき所定数の遊技媒体を排出する遊技媒体補給装置とを有する遊技媒体貸出システム、遊技機及び不正検知方法に関し、特に、遊技機の貯留タンクに対して遊技媒体を補給する場合の第三者又は従業員による不正を正確かつ効率良く検知することができる遊技媒体貸出システム、遊技機及び不正検知方法に関する。
【背景技術】
【０００２】
従来、パチンコ機やパチスロ機等の遊技機には、遊技媒体を貯留する貯留タンク（以下「ホッパ」と言う）が設けられており、遊技客により投入された遊技媒体はこのホッパ内に貯留され、当たりが発生するとこのホッパから遊技媒体が投出される。また、ホッパ内に貯留する遊技媒体数が不足状態になると、従業員による手作業又は自動補給機によりホッパ内に遊技媒体が補給されることになる。
【０００３】
ここで、上記自動補給機を採用すると、悪意のある第三者によるいわゆる「ホッパゴト行為」が行われた場合に、ホッパ内の遊技媒体が第三者により不正に搾取されるだけでなく、自動補給機から自動補給される遊技媒体についても不正に搾取され、遊技店に甚大な被害が生ずる可能性がある。
【０００４】
このため、自動補給機からホッパに遊技媒体を自動補給する場合に、悪意のある第三者による不正行為に対抗する従来技術が知られている。例えば、特許文献１には、遊技媒体を用いて遊技する遊技機と、該遊技機に設けられた貯留タンクであるホッパ内の遊技媒体数が所定未満になると、自動的に遊技媒体を貯留タンクに補給する自動補給機とが組み合わされている場合に、不正行為により遊技媒体の払い出しが行われると、この不正行為が行われた事実を検知して自動補給機からの遊技媒体の自動補給作業を停止させ、もって不正行為を抑止する不正防止装置が開示されている。
【０００５】
具体的には、この特許文献１のものは、ホッパの遊技媒体貯留量センサ信号、遊技機が発する大当り状態信号及び不正電波検知信号等の入力信号を演算することにより、不正が行われているか否かを判定し、不正が行われていると判定した場合には、不正防止装置により不正が行われている遊技機に対する遊技媒体の自動補給を停止するよう構成している。
【０００６】
【特許文献１】特開２００１−１４５７７０号公報
【発明の開示】
【発明が解決しようとする課題】
【０００７】
しかしながら、この特許文献１に代表される不正防止装置を用いたとしても、第三者による不正を適切に検知できなければ不正行為に適切に対処することができないという問題がある。遊技機から不正に遊技媒体を搾取するホッパゴトには様々なものがあり、全てのホッパゴトの発生を検知するのは事実上困難であるためである。加えて、今後はさらに新規かつ巧妙なホッパゴトが登場し得ることを考え合わせると、この特許文献１のようにホッパゴトの発生事実を検知することは現実的ではない。
【０００８】
また、上記説明では、第三者のみによる不正行為について説明したが、この第三者が遊技店の従業員と結託して不正行為を行った場合には、さらに不正行為に対する対処が難しくなる。例えば、自動補給機の故障時には、従業員が手作業で遊技機に遊技媒体を補給することになるが、かかる場合に従業員がその一部を搾取して第三者に受け渡す不正を行うと、上記特許文献１では不正を検知することができない。
【０００９】
このことから、自動補給機を用いて遊技機のホッパに遊技媒体を自動補給する場合に、第三者によるホッパゴト又は従業員による不正にいかにして対処するかが重要な課題となっている。なお、遊技機のホッパに対して直接遊技媒体を自動補給する自動補給機ではなく、自動補給機から所定数の遊技媒体を補給用スコップに払い出し、従業員がこの補給用スコップを遊技機まで運搬して手作業で遊技機のホッパに遊技媒体を補給する場合にも同様の課題が生ずる。
【００１０】
この発明は、上記課題（問題点）に鑑みてなされたものであり、遊技機の貯留タンクに対して遊技媒体を補給する場合の第三者又は従業員による不正を正確かつ効率良く検知することができる遊技媒体貸出システム、遊技機及び不正検知方法を提供することを目的とする。
【課題を解決するための手段】
【００１１】
上述した課題を解決するため、本発明は、遊技媒体を貯留する貯留タンクを内在する遊技機と、該遊技機からの補給要求に応答して遊技媒体の補給指示を行う管理装置と、前記管理装置からの補給指示に応答して前記遊技機に補給すべき所定数の遊技媒体を排出する遊技媒体補給装置とを有する遊技媒体貸出システムであって、前記管理装置は、前記遊技機から補給要求を受け付けた際に、該遊技機から前回補給要求を受け付けた以降の当該遊技機の貯留タンクへの遊技媒体の補給実績、遊技媒体の払出実績及び遊技媒体の投入実績に基づいて不正の有無を検知する不正検知手段と、前記不正検知手段により不正が検知されない場合にのみ、前記遊技媒体補給装置に対して補給指示を行う補給指示手段とを備えたことを特徴とする。
【００１２】
また、本発明は、上記発明において、前記管理装置は、前記遊技機への遊技媒体の投入数、該遊技機からの遊技媒体の払出数、該遊技機又は該遊技機に併設された遊技媒体貸出装置からの遊技媒体の貸出数を各遊技機の識別情報に対応づけて記憶する記憶手段と、前記遊技機から受信したアウト信号に基づいて前記記憶手段に記憶した遊技媒体の投入数を更新し、前記遊技機から受信したセーフ信号に基づいて前記記憶手段に記憶した遊技媒体の払出数を更新し、前記遊技機又は該遊技機に併設された遊技媒体から受信した売上信号に基づいて前記記憶手段に記憶した遊技媒体の貸出数を更新する更新手段とをさらに備え、前記不正検知手段は、前記遊技機の貯留タンク内の不足状況を示すニアエンプティ信号を受信した場合に、前記遊技機に対する遊技媒体の補給数並びに前記記憶手段に記憶された当該遊技機に係る遊技媒体の投入数、遊技媒体の払出数及び遊技媒体の貸出数に基づいて不正の有無を検知することを特徴とする。
【００１３】
また、本発明は、上記発明において、前記不正検知手段は、前記遊技機に対する遊技媒体の補給数及び当該遊技機に係る遊技媒体の投入数の和と、当該遊技機への遊技媒体の払出数及び遊技媒体の貸出数の和との差が所定値以下である場合には不正が発生していないと判定し、両者の差が所定値よりも大きい場合には不正が発生したものと判定することを特徴とする。
【００１４】
また、本発明は、遊技媒体を貯留する貯留タンクを有し、該貯留タンク内の遊技媒体の残数が少なくなった場合に管理装置に対して遊技媒体の補給要求を行う遊技機であって、前記貯留タンク内に貯留した遊技媒体数が不足状態又は不足状態に近い状態であるか否かを検知する検知手段と、前記検知手段により不足状態又は不足状態に近い状態が検知された場合に、該遊技機から前回補給要求を行った以降の当該遊技機の貯留タンクへの遊技媒体の補給実績、遊技媒体の払出実績及び遊技媒体の投入実績に基づいて不正の有無を検知する不正検知手段と、前記不正検知手段により不正が検知されない場合には前記管理装置に対して補給要求を通知し、前記不正検知手段により不正が検知された場合には前記管理装置に対して不正検知を通知する通知手段とを備えたことを特徴とする。
【００１５】
また、本発明は、上記発明において、前記遊技機への遊技媒体の投入数、該遊技機からの遊技媒体の払出数、該遊技機又は該遊技機に併設された遊技媒体貸出装置からの遊技媒体の貸出数を記憶する記憶手段と、前記遊技機に遊技媒体が投入される都度前記記憶手段に記憶した遊技媒体の投入数を更新し、前記遊技機から遊技媒体が払い出される都度前記記憶手段に記憶した遊技媒体の払出数を更新し、前記遊技機又は該遊技機に併設された遊技媒体から遊技媒体が貸し出される都度前記記憶手段に記憶した遊技媒体の貸出数を更新する更新手段とをさらに備え、前記不正検知手段は、前記遊技機の貯留タンク内の不足状況又は不足状況の近い状況が検知された場合に、前記遊技機に対する遊技媒体の補給数並びに前記記憶手段に記憶された遊技媒体の投入数、遊技媒体の払出数及び遊技媒体の貸出数に基づいて不正の有無を検知することを特徴とする。
【００１６】
また、本発明は、上記発明において、前記不正検知手段は、前記遊技機に対する遊技媒体の補給数及び遊技媒体の投入数との和と、遊技媒体の払出数及び遊技媒体の貸出数の和との差が所定値以下である場合には不正が発生していないと判定し、両者の差が所定値よりも大きい場合には不正が発生したものと判定することを特徴とする。
【００１７】
また、本発明は、上記発明において、遊技媒体を貯留する貯留タンクを内在する遊技機と、該遊技機からの補給要求に応答して遊技媒体の補給指示を行う管理装置と、前記管理装置からの補給指示に応答して前記遊技機に補給すべき所定数の遊技媒体を排出する遊技媒体補給装置とを有する遊技媒体貸出システムの不正検知方法であって、前記管理装置が前記遊技機から補給要求を受け付けた際に、該遊技機から前回補給要求を受け付けた以降の当該遊技機の貯留タンクへの遊技媒体の補給実績、遊技媒体の払出実績及び遊技媒体の投入実績に基づいて不正の有無を検知する不正検知工程と、前記不正検知工程により不正が検知されない場合にのみ、前記遊技媒体補給装置に対して補給指示を行う補給指示工程とを含んだことを特徴とする。
【発明の効果】
【００１８】
本発明によれば、管理装置が遊技機から補給要求を受け付けた際に、該遊技機から前回補給要求を受け付けた以降の当該遊技機の貯留タンクへの遊技媒体の補給実績、遊技媒体の払出実績及び遊技媒体の投入実績に基づいて不正の有無を検知し、不正が検知されない場合にのみ、遊技媒体補給装置に対して補給指示を行うよう構成したので、遊技機の貯留タンクに対して遊技媒体を補給する場合の第三者又は従業員による不正の発生を正確かつ効率良く検知し、もって遊技店が被る被害を低減することができる。
【００１９】
また、本発明によれば、管理装置が、遊技機への遊技媒体の投入数、該遊技機からの遊技媒体の払出数、該遊技機又は該遊技機に併設された遊技媒体貸出装置からの遊技媒体の貸出数を各遊技機の識別情報に対応づけて記憶しておき、遊技機から受信したアウト信号に基づいて遊技媒体の投入数を更新し、遊技機から受信したセーフ信号に基づいて遊技媒体の払出数を更新し、遊技機又は該遊技機に併設された遊技媒体から受信した売上信号に基づいて遊技媒体の貸出数を更新するとともに、遊技機の貯留タンク内の不足状況を示すニアエンプティ信号を受信した場合に、遊技機に対する遊技媒体の補給数並びに当該遊技機に係る遊技媒体の投入数、遊技媒体の払出数及び遊技媒体の貸出数に基づいて不正の有無を検知するよう構成したので、実際のホッパゴト等の手口を特定しなくとも、遊技機への遊技媒体の投入数、該遊技機からの遊技媒体の払出数、該遊技機又は該遊技機に併設された遊技媒体貸出装置からの遊技媒体の貸出数及び遊技媒体の補給数を用いて効率良く不正の発生を検知することができる。
【００２０】
また、本発明によれば、遊技機に対する遊技媒体の補給数及び当該遊技機に係る遊技媒体の投入数の和と、当該遊技機への遊技媒体の払出数及び遊技媒体の貸出数の和との差が所定値以下である場合には不正が発生していないと判定し、両者の差が所定値よりも大きい場合には不正が発生したものと判定するよう構成したので、加算と比較という単純かつ高速な処理により迅速に不正の発生を検知することができる。
【発明を実施するための最良の形態】
【００２１】
以下に添付図面を参照して、本発明に係る遊技媒体貸出システム、遊技機及び不正検知方法の好適な実施例を詳細に説明する。以下に示す実施例１では、遊技店の売上等の管理を行うホールコンピュータにおいて不正を検出する場合を示し、実施例２では、遊技機単体で不正を検出する場合を示すこととする。なお、これらの実施例では、遊技媒体としてパチスロ遊技で利用するメダルを対象とした場合を示すこととするが、本発明はパチンコ玉等の他の遊技媒体を対象とする場合に適用することもできる。
【実施例１】
【００２２】
まず、本実施例１に係るメダル貸出システムのシステム構成について説明する。図１は、本実施例１に係るメダル貸出システムのシステム構成を示す図である。同図に示すように、このメダル貸出システムは、パチスロ機１０と、このパチスロ機１０に併設されたメダル貸し機１１と、メダル補給機１２と、ホールコンピュータ１３とが通信回線を介して接続された構成となる。
【００２３】
パチスロ機１０は、遊技媒体であるメダルを用いたパチスロ遊技を提供する遊技機であり、その内部には所定量のメダルを貯留するメダル貯留用タンク（以下「ホッパ」と言う）１０ａが設けられている。遊技客が、パチスロ機１０に設けられたメダル投入口に例えば３枚のメダルを投入してスタートレバーを操作すると、３つのドラムが回動を開始し、停止ボタン操作に応答してドラムを停止させると、停止したドラム上の絵柄に応じてメダルを払い出す。また、このパチスロ機１０は、いわゆるＣＲパチスロ機であり、遊技客によりメダル貸出操作が行われた場合には、メダル貸し機１１ではなくパチスロ機１０内部のホッパ１０ａから貸出枚数分のメダルを払い出す。
【００２４】
このパチスロ機１０は、小役又はボーナスが成立してホッパ１０ａから賞メダルを払い出す際には払出枚数分のメダル払出信号（以下「セーフ信号」と言う）をホールコンピュータ１３に対して送信し、メダル投入口から投入されたメダルを受け入れてホッパ１０ａに貯留する際には投入枚数分のメダル投入信号（以下「アウト信号」と言う）をホールコンピュータ１３に対して送信する。
【００２５】
また、ホッパ１０ａには設けられたニアエンプティセンサがニアエンプティを検知すると、ニアエンプティ信号（以下「ＮＥ信号」と言う）がホールコンピュータ１３に対して送信される。このＮＥ信号は、ホッパ１０ａ内のメダルが不足状態に近い状態を意味するが、併せてメダル補給要求の意味合いも有することになる。
【００２６】
メダル貸し機１１は、パチスロ機１０で利用されるメダルを貸出処理する台間機であり、具体的には、残度数が価値付けられたプリペイドカードの挿入を受け付けた状態でメダル貸出ボタンが押下された際に、パチスロ機１０に対して貸出枚数分のメダル払い出しを指示するとともに、ホールコンピュータ１３に対して売上信号を送信する。
【００２７】
メダル補給機１２は、メダル補給路１２ａを介してパチスロ機１０のホッパ１０ａに対してメダルを自動補給する補給機であり、具体的には、ホールコンピュータ１３から補給指示信号を受け付けると、該当するパチスロ機１０のホッパ１０ａに対して所定枚数（例えば５００枚）のメダルを自動補給する。
【００２８】
ホールコンピュータ１３は、遊技店内に配設された各メダル貸し機１１及びパチスロ機１０から送信される信号に基づいて売上げ管理等を行う管理装置であり、併せてパチスロ機１０からＮＥ信号を受信した場合には、メダル補給機１２に対して補給指示信号を送信して該当するパチスロ機１０にメダルを補給させる。
【００２９】
ここで、このホールコンピュータ１３は、従来のように単にＮＥ信号に応答してメダル補給機１２に補給指示信号を送信するのではなく、第三者又は店員による不正を検知する不正検知処理を行ない、不正が検知されない場合にのみメダル補給機１２に補給指示信号を送信することになる。
【００３０】
次に、図１に示したホールコンピュータ１３が行う不正検知処理の概念について説明する。図２は、図１に示したホールコンピュータ１３が行う不正検知処理の概念を説明するための説明図である。
【００３１】
図１に示したように、パチスロ機１０のホッパ１０ａ内のメダルが減少してニアエンプティ（ＮＥ）以下になると、このパチスロ機１０からホールコンピュータ１３に対してＮＥ信号が送信され、このＮＥ信号を受信したホールコンピュータ１３がメダル補給機１２に対して補給指示信号を送信し、この補給指示信号を受信したメダル補給機１２がメダル補給路１２ａを介して該当するパチスロ機１０のホッパ１０ａにメダルを自動補給する。また、このパチスロ機１０には、遊技客がパチスロ遊技を行う都度、所定枚数（例えば３枚）のメダルを投入し、投入されたメダルはホッパ１０ａ内に貯留される。
【００３２】
このため、図２に示すように、パチスロ機１０のホッパ１０ａ内に貯留されるメダル数は、ニアエンプティを検知してから投入メダル枚数（Ａ）と補給メダル枚数（Ｂ）の和（Ａ＋Ｂ）だけ増加することになる。
【００３３】
一方、このパチスロ機１０のホッパ１０ａからは、小役又はボーナスの成立に伴って賞メダルが払い出されるとともに、メダル貸出操作に応答する貸しメダルが払い出される。このため、パチスロ機１０のホッパ１０ａ内に貯留されるメダル数は、ニアエンプティを検知してから払出メダル枚数（Ｃ）と貸しメダル枚数（Ｄ）の和（Ｃ＋Ｄ）だけ減少することになる。
【００３４】
このため、現在ホッパ１０ａ内に貯留する現メダル枚数（Ｘ）は、ニアエンプティ検知時点の残メダル枚数をＥとすると、「Ｘ＝Ｅ＋（Ａ＋Ｂ）−（Ｃ＋Ｄ）」となる。したがって、現メダル枚数（Ｘ）が、再びニアエンプティが検知された時点の残メダル数（Ｅ）となる状況では、「Ａ＋Ｂ≒Ｃ＋Ｄ」の関係が成立する。
【００３５】
つまり、前回ニアエンプティが検知された以降の投入メダル枚数（Ａ）、補給メダル枚数（Ｂ）、払出メダル枚数（Ｃ）及び貸しメダル枚数（Ｄ）を計数すると、次回ニアエンプティが検知された時点で「Ａ＋Ｂ≒Ｃ＋Ｄ」の関係式が成立していなければならないことになる。
【００３６】
その反面で、ホールコンピュータ１３が補給メダル枚数（Ｂ）を３００枚として管理しているにも係わらず、その一部を従業員が搾取して１００枚しか補給しなかったような場合には、次回ニアエンプティが検知された時点で「Ａ＋Ｂ≒Ｃ＋Ｄ」の関係式が成立しないことになる。
【００３７】
例えば、図２に示したケースでは、投入メダル枚数（Ａ）と補給メダル枚数（Ｂ）の和（Ａ＋Ｂ）すなわちホッパ１０ａ内のメダル増加分から払出メダル枚数（Ｃ）及び貸しメダル枚数（Ｄ）の和（Ｃ＋Ｄ）すなわちホッパ１０ａ内のメダル減少分を除くと、ニアエンプティ以上のメダルが存在するはずであるにも係わらず、実際にはパチスロ機１０がニアエンプティを検知している状況を示しているので、不正にメダルの搾取が行われている可能性があることになる。この不正としては、例えばホールコンピュータ１３が管理する補給メダル枚数（Ｂ）のメダルが補給されていないケースや、ホッパゴト行為により払出メダル枚数（Ｃ）以上のメダルが搾取されているケースが該当する。
【００３８】
以上のことから、本実施例１では、前回ＮＥ信号を受信した以降の投入メダル枚数（Ａ）、補給メダル枚数（Ｂ）、払出メダル枚数（Ｃ）及び貸しメダル枚数（Ｄ）を計数しておき、次回のニアエンプティ検知時点で「Ａ＋Ｂ≒Ｃ＋Ｄ」の関係式が成立するか否かで不正を検知することとしている。
【００３９】
なお、ホールコンピュータ１３は、パチスロ機１０から送信されるアウト信号及びセーフ信号から投入メダル数（Ａ）及び払出メダル枚数（Ｃ）を取得し、メダル貸し機１１から送信される売上信号から貸しメダル枚数（Ｄ）を取得する。一度に補給される補給メダル枚数（Ｂ）は、例えば５００枚と一定の枚数である。
【００４０】
次に、図２に示した関係式Ａ＋Ｂ≒Ｃ＋Ｄを用いた不正検知をさらに具体的に説明する。図３−１及び図３−２は、不正が行われていない状況でのメダル増加数とメダル減少数の関係を示す図であり、図３−３は、不正が行われた状況でのメダル増加数とメダル減少数の関係を示す図である。
【００４１】
図３−１は、遊技客がボーナスによる賞メダルを獲得できず、繰り返しメダル貸しを受けたためにニアエンプティに至った状況を示しており、同図に示すように、前回ニアエンプティを検知した時点ｔ１以降の補給メダル枚数（Ｂ）が５００枚であり、貸しメダル枚数（Ｄ）が５０枚／回×１０回＝５００枚であり、投入メダル枚数（Ａ）と払出メダル枚数（Ｃ）が同じ（Ａ＝Ｃ）であれば、次回ニアエンプティを検知した時点ｔ２で、Ａ＋Ｂすなわちメダル増加分とＣ＋Ｄすなわちメダル減少分が等しくなる（Ａ＋Ｂ＝Ｃ＋Ｄ）。このため、かかる場合には、メダルの不正な搾取は行われていないことが分かる。
【００４２】
また、図３−２は、遊技客がボーナスによる賞メダルを獲得してニアエンプティに至った状況を示しており、同図に示すように、前回ニアエンプティを検知した時点ｔ１以降の補給メダル枚数（Ｂ）が５００枚であり、投入メダル枚数（Ａ）が５０枚であり、払出メダル枚数（Ｃ）が５５０枚であり、貸しメダル枚数（Ｄ）が０枚であれば、次回ニアエンプティを検知した時点ｔ２で、Ａ＋Ｂすなわちメダル増加分とＣ＋Ｄすなわちメダル減少分が等しくなる（Ａ＋Ｂ＝Ｃ＋Ｄ）。このため、かかる場合にも、メダルの不正な搾取は行われていないことが分かる。
【００４３】
これに対して、図３−３は、遊技客が繰り返しメダル貸しを受けている途中で予定よりも早くニアエンプティに至った状況を示しており、同図に示すように、前回ニアエンプティを検知した時点ｔ１以降の補給メダル枚数（Ｂ）が５００枚であり、貸しメダル枚数（Ｄ）が５０枚／回×５回＝２５０枚であり、投入メダル枚数（Ａ）と払出メダル枚数（Ｃ）が同じ（Ａ＝Ｃ）であれば、次回ニアエンプティを検知した時点ｔ２で、Ａ＋Ｂすなわちメダル増加分の方がＣ＋Ｄすなわちメダル減少分よりも大きく（Ａ＋Ｂ＞Ｃ＋Ｄ）、本来であればホッパ１０ａ内に十分メダルが貯留されているはずであるにも係わらず、時刻ｔ２でニアエンプティが発生したことになる。このため、かかる場合には、メダルの不正な搾取が行われていることが分かる。
【００４４】
なお、本実施例１では、ニアエンプティセンサが誤ってニアエンプティを検知したり、ＮＥ信号、アウト信号、セーフ信号及び売上信号の送受信途中でのエラーは存在しないことを前提としている。
【００４５】
次に、図１に示したホールコンピュータ１３の構成について説明する。図４は、図１に示したホールコンピュータ１３の構成を示す機能ブロック図である。同図に示すように、このホールコンピュータ１３は、入力部１３１と、表示部１３２と、インターフェース部１３３と、記憶部１３４と、制御部１３５とを有する。
【００４６】
入力部１３１は、キーボードやマウス等の入力デバイスであり、表示部１３２は、ディスプレイや液晶パネル等の表示デバイスである。インターフェース部１３３は、パチスロ機１０、メダル貸し機１１及びメダル補給機１２との間で通信を行うためのインターフェース部であり、具体的には、パチスロ機１０からアウト信号、セーフ信号及びＮＥ信号を受信し、メダル貸し機１１から売上信号を受信し、メダル補給機１２に対して補給指示信号を送信する。
【００４７】
記憶部１３４は、ハードディスク装置や不揮発性メモリからなる記憶デバイスであり、売上管理データ１３４ａ、補給管理データ１３４ｂ及び不正検知用データ１３４ｃを記憶する。売上管理データ１３４ａは、パチスロ機１０及びメダル貸し機１１ごとの売上データであり、補給管理データ１３４ｂは、メダル補給機１２からの各パチスロ機１０に対する補給履歴データである。
【００４８】
不正検知用データ１３４ｃは、後述する不正検知処理部１３５ｃが不正検知処理を行う際に利用するデータであり、図５に示すように、投入メダル枚数（Ａ）、払出メダル枚数（Ｃ）及び貸しメダル枚数（Ｄ）を各パチスロ機１０の台番号に対応付けて記憶する。この不正検知用データ１３４ｃは、ＮＥ信号に応答してメダル補給を行う際に０に初期化される。なお、補給メダル枚数（Ｂ）を記憶していない理由は、かかる補給メダル枚数（Ｂ）は例えば５００枚というように一定の枚数であるためである。
【００４９】
制御部１３５は、ホールコンピュータ１３全体を制御する制御部であり、売上管理部１３５ａ、補給管理部１３５ｂ及び不正検知処理部１３５ｃを有する。売上管理部１３５ａは、記憶部１３４に記憶した売上管理データ１３４ａを用いて遊技店全体、島毎又はパチスロ機毎の売上を管理する管理部であり、これらの売上データを時間毎、日毎、週毎又は月毎に集計処理する機能も有する。
【００５０】
補給管理部１３５ｂは、記憶部１３４に記憶した補給管理データ１３４ｂを用いて各パチスロ機１０に対するメダルの補給実績を管理する管理部である。この補給管理部１３５ｂは、パチスロ機１０からＮＥ信号を受信し、不正検知処理部１３５ｃにより不正が検知されない場合に、メダル補給機１２に対して該メダル貸し機１１にメダル補給するよう指示する補給指示信号を送信する。
【００５１】
不正検知処理部１３５ｃは、第三者又は店員によるメダルの搾取に係る不正を検知する本発明に係る処理部である。具体的には、パチスロ機１０からアウト信号及びセーフ信号を受信するか又はメダル貸し機１１から売上信号を受信する都度、不正検知用データ１３４ｃを更新するとともに、パチスロ機１０からＮＥ信号を受信した時点で、不正検知用データ１３４ｃを参照して、投入メダル枚数（Ａ）、補給メダル数（Ｂ）、払出メダル枚数（Ｃ）及び貸しメダル枚数（Ｄ）の間に、「Ａ＋Ｂ≒Ｃ＋Ｄ」の関係式が成立するか否かに基づいて不正の有無を検知する。具体的には、かかる関係式が成立する場合には不正が存在しないものと判定し、この関係式が成立しない場合には不正が存在すると判定することになる。
【００５２】
次に、図４に示した不正検知処理部１３５ｃによる不正検知用データ１３４ｃの不正検知処理手順について説明する。図６は、図４に示した不正検知処理部１３５ｃによる不正検知処理手順を示すフローチャートである。なお、かかる不正検知処理には、不正検知用データ１３４ｃの更新処理も含まれる。
【００５３】
同図に示すように、この不正検知処理部１３５ｃは、パチスロ機１０からアウト信号を受信したならば（ステップＳ１０１肯定）、不正検知用データ１３４ｃ内の該当するパチスロ機１０の投入メダル枚数（Ａ）を更新する（ステップＳ１０２）。例えば、パチスロ機１０が１枚のメダル投入時に１パルスのアウト信号を送信する場合には、アウト信号を受信する都度投入メダル枚数（Ａ）に１を加算することになる。なお、パチスロ機１０からアウト信号を受信しない場合には（ステップＳ１０１否定）、投入メダル枚数（Ａ）の更新は行わない。
【００５４】
また、パチスロ機１０からセーフ信号を受信したならば（ステップＳ１０３肯定）、不正検知用データ１３４ｃ内の該当するパチスロ機１０の払出メダル枚数（Ｃ）を更新する（ステップＳ１０４）。例えば、パチスロ機１０が１枚のメダル払出時に１パルスのセーフ信号を送信する場合には、セーフ信号を受信する都度払出メダル枚数（Ｃ）に１を加算することになる。なお、パチスロ機１０からセーフ信号を受信しない場合には（ステップＳ１０３否定）、払出メダル枚数（Ｃ）の更新は行わない。
【００５５】
また、メダル貸し機１１から売上信号を受信したならば（ステップＳ１０５肯定）、不正検知用データ１３４ｃ内の該当するパチスロ機１０の貸しメダル枚数（Ｄ）を更新する（ステップＳ１０６）。例えば、パチスロ機１０が５０枚のメダル貸出時に１パルスの売上信号を送信する場合には、売上信号を受信する都度貸しメダル枚数（Ｄ）に５０を加算することになる。なお、メダル貸し機１１から売上信号を受信しない場合には（ステップＳ１０５否定）、貸しメダル枚数（Ｄ）の更新は行わない。
【００５６】
また、パチスロ機１０からＮＥ信号を受信したならば（ステップＳ１０７肯定）、後述する不正検知及びメダル補給処理を行い（ステップＳ１０８）、ＮＥ信号を受信しない場合には（ステップＳ１０７否定）、かかる不正検知及びメダル補給処理は行わない。上記一連の処理を電源断等により処理を終了するまで繰り返す（ステップＳ１０９肯定）。
【００５７】
次に、図６のステップＳ１０８に示した不正検知及びメダル補給処理手順についてさらに詳細に説明する。図７は、図６のステップＳ１０８に示した不正検知及びメダル補給処理手順を示すフローチャートである。
【００５８】
同図に示すように、パチスロ機からＮＥ信号を受信したならば、不正検知用データ１３４ｃ内の該当するパチスロ機１０の投入メダル枚数（Ａ）、払出メダル枚数（Ｃ）及び貸しメダル枚数（Ｄ）を順次読み出し（ステップＳ２０１〜Ｓ２０３）、「Ａ＋Ｂ≒Ｃ＋Ｄ」の関係式が成立するか否かを判定する（ステップＳ２０４）。
【００５９】
そして、かかる関係式が成立する場合には（ステップＳ２０４肯定）、メダル補給機１２に対して補給指示信号を送信するよう補給管理部１３５ｂに指示するとともに（ステップＳ２０５）、不正検知用データ１３４ｃ内の該当するパチスロ機１０の投入メダル枚数（Ａ）、払出メダル枚数（Ｃ）及び貸しメダル枚数（Ｄ）の値を０にリセットする（ステップＳ２０６）。
【００６０】
これに対して、上記関係式が成立しない場合には（ステップＳ２０４否定）、表示部１３２上に「不正検知」を表示する（ステップＳ２０７）。なお、上記関係式が成立しない場合に、単に「不正検知」を表示するだけではなく、警報音を鳴動させたり管理者にメール連絡することもできる。
【００６１】
上述してきたように、本実施例１では、ホールコンピュータ１３が、パチスロ機１０から前回ＮＥ信号を受信してからの投入メダル枚数（Ａ）、払出メダル枚数（Ｃ）及び貸しメダル枚数（Ｄ）を計数しておき、次のＮＥ信号を受信した際に、補給メダル枚数（Ｂ）を合わせた関係式「Ａ＋Ｂ≒Ｃ＋Ｄ」が成立するか否かを調べ、この関係式が成立する場合には不正が行われていないと判定してメダル補給を行うとともに、この関係式が成立しない場合には不正が行われたものと判定するよう構成したので、第三者によって新たなホッパゴトの手口で不正が行われた場合や第三者と店員とが共謀して不正を行った場合であっても、その不正の事実を効率的かつ適正に把握して、メダルの不正搾取に係る遊技店の損害を防止することができる。
【実施例２】
【００６２】
ところで、上記実施例１では、ホールコンピュータ１３で不正検知処理を行うこととしたが、かかる不正検知処理はパチスロ機１０単体で行うこともできる。そこで、以下に示す実施例２では、パチスロ機１０で不正検知処理を行う場合を示すこととする。
【００６３】
まず、本実施例２に係る不正検知処理の流れについて説明する。図８は、本実施例２に係る不正検知処理の流れを説明するための説明図である。同図に示すように、ここではホールコンピュータ１３で不正検知処理を行うこととした上記実施例１とは異なり、パチスロ機２１単体で不正検知処理を行うこととしている。
【００６４】
具体的には、パチスロ機２１が、前回ニアエンプティを検知してからの投入メダル枚数（Ａ）、払出メダル枚数（Ｃ）及び貸しメダル枚数（Ｄ）を計数しておき、次のニアエンプティを検知した際に、補給メダル枚数（Ｂ）を合わせた関係式「Ａ＋Ｂ≒Ｃ＋Ｄ」が成立するか否かを調べ、この関係式が成立する場合には不正が行われていないと判定してＮＥ信号をホールコンピュータ２２に送信する。このＮＥ信号を受信したホールコンピュータ２２は、このＮＥ信号に応答してメダル補給機１２に対して補給指示信号を送信し、この補給指示信号を受信したメダル補給機１２はメダル貸し機２１に対してメダルの自動補給を行う。
【００６５】
これに対して、上記関係式が成立しない場合には不正が行われたものと判定して不正検知信号をホールコンピュータ２２に送信し、この不正検知信号を受信したホールコンピュータ２２は、表示部上に不正発生を表示する。
【００６６】
次に、図８に示したパチスロ機２１の構成について説明する。図９は、図８に示したパチスロ機２１の構成を示す機能ブロック図である。同図に示すように、このパチスロ機２１は、操作部２１１と、表示部２１２と、インターフェース部２１３及び２１４と、ホッパ２１５と、メダル投出機構部２１６と、記憶部２１７と、制御部２１８とを有する。なお、パチスロ機２１には回動するドラム等も存在するが、ここではその説明を省略する。
【００６７】
操作部２１１は、パチスロ機２１の筐体表面に配設される各種ボタン及びスイッチ等の操作部であり、例えばスタートレバー、ベットボタン、ストップボタン等が該当する。表示部２１２は、ＬＥＤ及び液晶パネル等の表示デバイスであり、例えばクレジット残数を表示するＬＥＤやドラムの周囲に配設され各種演出表示を行う液晶パネル等が該当する。
【００６８】
インターフェース部２１３は、ホールコンピュータ２２と通信するためのインターフェース部であり、具体的には、ホールコンピュータ２２に対してＮＥ信号又は不正検知信号を送信する。インターフェース部２１４は、併設するメダル貸し機と通信するためのインターフェース部である。
【００６９】
ホッパ２１５は、実施例１に示したホッパ１０ａと同様にメダルを貯留する貯留タンクであり、ニアエンプティを検知するニアエンプティセンサが設けられている。このホッパ２１５には、メダル補給機１２からメダルが自動補給される。メダル投出機構部２１６は、メダル貸し操作が行われた場合や小役又はボーナスが成立した場合にホッパ２１５から所定枚数のメダルをノズルを介してパチスロ機の受け皿に投出する機構部である。
【００７０】
記憶部２１７は、不揮発性メモリ等の記憶デバイスであり、その内部に不正検知用データ２１７ａを記憶する。この不正検知用データ２１７ａは、後述する不正検知処理部２１８ｂが不正検知処理を行う際に利用するデータであり、投入メダル枚数（Ａ）、払出メダル枚数（Ｃ）及び貸しメダル枚数（Ｄ）を記憶する。この不正検知用データ２１７ａは、ニアエンプティを検知するとともに不正が発生していないと判定された場合に０に初期化される。なお、補給メダル枚数（Ｂ）を記憶していない理由は、かかる補給メダル枚数（Ｂ）は例えば５００枚というように一定の枚数であるためである。
【００７１】
制御部２１８は、パチスロ機２１を全体制御する制御部であり、パチスロ遊技処理部２１８ａ及び不正検知処理部２１８ｂを有する。パチスロ遊技処理部２１８ａは、本来のパチスロ遊技の提供に係る処理を行う処理部である。
【００７２】
不正検知処理部２１８ｂは、図４に示した不正検知処理部１３５ｃに対応するものであり、前回ニアエンプティを検知してからの投入メダル枚数（Ａ）、払出メダル枚数（Ｃ）及び貸しメダル枚数（Ｄ）を計数しておき、次のニアエンプティを検知した際に、補給メダル枚数（Ｂ）を合わせた関係式「Ａ＋Ｂ≒Ｃ＋Ｄ」が成立するか否かに基づいて不正が行われたか否かを検知する。かかる関係式が成立する場合には不正が行われていないと判定し、この関係式が成立しない場合には不正が行われたものと判定することになる。
【００７３】
次に、図９に示した不正検知処理部２１８ｂの不正検知処理手順について説明する。図１０は、図９に示した不正検知処理部２１８ｂの不正検知処理手順を示すフローチャートである。
【００７４】
同図に示すように、この不正検知処理部２１８ｂは、メダル投入口からメダルを受け付けたならば（ステップＳ３０１肯定）、不正検知用データ２１７ａ内の投入メダル枚数（Ａ）を更新し（ステップＳ３０２）、メダルを受け付けない場合には（ステップＳ３０１否定）、投入メダル枚数（Ａ）の更新は行わない。
【００７５】
また、賞メダルを払い出したならば（ステップＳ３０３肯定）、不正検知用データ２１７ａ内の払出メダル枚数（Ｃ）を更新し（ステップＳ３０４）、賞メダルを払い出さない場合には（ステップＳ３０３否定）、払出メダル枚数（Ｃ）の更新は行わない。
【００７６】
また、メダル貸し機から受信した貸出指示信号に応答して貸しメダルを払い出したならば（ステップＳ３０５肯定）、不正検知用データ２１７ａ内の貸しメダル枚数（Ｄ）を更新し（ステップＳ３０６）、貸しメダルを払い出さない場合には（ステップＳ３０５否定）、貸しメダル枚数（Ｄ）の更新は行わない。
【００７７】
また、ニアエンプティセンサによりニアエンプティを検知したならば（ステップＳ３０７肯定）、後述する不正検知及びＮＥ信号通知処理を行い（ステップＳ３０８）、ニアエンプティを検知しない場合には（ステップＳ３０７否定）、かかる不正検知及びＮＥ信号通知処理は行わない。上記一連の処理を電源断等により処理を終了するまで繰り返す（ステップＳ３０９肯定）。
【００７８】
次に、図１０のステップＳ３０８に示した不正検知及びＮＥ信号通知処理手順についてさらに詳細に説明する。図１１は、図１０のステップＳ３０８に示した不正検知及びＮＥ信号通知処理手順を示すフローチャートである。
【００７９】
同図に示すように、ニアエンプティセンサによりニアエンプティを検知したしたならば、不正検知用データ２１７ａ内の投入メダル枚数（Ａ）、払出メダル枚数（Ｃ）及び貸しメダル枚数（Ｄ）を順次読み出し（ステップＳ４０１〜Ｓ４０３）、「Ａ＋Ｂ≒Ｃ＋Ｄ」の関係式が成立するか否かを判定する（ステップＳ４０４）。
【００８０】
そして、かかる関係式が成立する場合には（ステップＳ４０４肯定）、ホールコンピュータ２２に対してＮＥ信号を送信した後（ステップＳ４０５）、不正検知用データ２１７ａ内の投入メダル枚数（Ａ）、払出メダル枚数（Ｃ）及び貸しメダル枚数（Ｄ）の値を０にリセットする（ステップＳ４０６）。これに対して、上記関係式が成立しない場合には（ステップＳ２０４否定）、ホールコンピュータ２２に対して不正検知信号を送信する（ステップＳ４０７）。
【００８１】
上述してきたように、本実施例２では、パチスロ機２１が、前回ニアエンプティを検知してからの投入メダル枚数（Ａ）、払出メダル枚数（Ｃ）及び貸しメダル枚数（Ｄ）を計数しておき、次のニアエンプティを検知した際に、補給メダル枚数（Ｂ）を合わせた関係式「Ａ＋Ｂ≒Ｃ＋Ｄ」が成立するか否かを調べ、この関係式が成立する場合には不正が行われていないと判定してＮＥ信号を送信するとともに、この関係式が成立しない場合には不正が行われたものと判定して不正検知信号を送信するよう構成したので、ホールコンピュータ２２等の既存設備を変えることなくパチスロ機２１単体で効率良く不正を検知することができる。
【００８２】
なお、上記実施例１及び２では、パチスロ機で利用されるメダルを補給対象とした場合を示したが、本発明はこれに限定されるものではなく、パチンコ機で利用されるパチンコ玉を補給対象とする場合に適用することもできる。
【００８３】
また、上記実施例１及び２では、メダル補給機１２によりパチスロ機内のホッパにメダルを自動補給する場合を示したが、本発明はこれに限定されるものではなく、メダル補給機１２から所定枚数のメダルをメダル用スコップに払い出し、従業員がこのメダル用スコップを持参してパチスロ機の場所まで赴き、手作業でメダル用スコップ内のメダルをパチスロ機のホッパに供給する場合に適用することもできる。
【００８４】
さらに、上記実施例１及び２では、ニアエンプティの検知をトリガとする場合を示したが、本発明はこれに限定されるものではなくエンプティの検知をトリガとすることもできる。
【００８５】
また、上記実施例１及び２では、説明の便宜上、その詳細な説明を省略したが適切な誤差を考慮する必要がある。ホッパ内に貯留されるメダルは、整然と並べられている訳ではないので、ニアエンプティとして検知する際のメダル数が一定ではないからである。
【産業上の利用可能性】
【００８６】
本発明にかかる遊技媒体貸出システム、遊技媒体貸出装置及び不正検知方法は、遊技媒体貸出装置の貯留タンクに対して遊技媒体を補給する場合の第三者又は店員による不正を正確かつ効率良く検知する場合に有用である。
【図面の簡単な説明】
【００８７】
【図１】本実施例１に係るメダル貸出システムのシステム構成を示す図である。
【図２】図１に示したホールコンピュータが行う不正検知処理の概念を説明するための説明図である。
【図３−１】不正が行われていない状況でのメダル増加数とメダル減少数の関係を示す図である。
【図３−２】不正が行われていない状況でのメダル増加数とメダル減少数の関係を示す図である。
【図３−３】不正が行われた状況でのメダル増加数とメダル減少数の関係を示す図である。
【図４】図１に示したホールコンピュータの構成を示す機能ブロック図である。
【図５】図４に示した不正検知用データの一例を示す図である。
【図６】図４に示した不正検知処理部による不正検知処理手順を示すフローチャートである。
【図７】図６のステップＳ１０８に示した不正検知及びメダル補給処理手順を示すフローチャートである。
【図８】本実施例２に係る不正検知処理の流れを説明するための説明図である。
【図９】図８に示したパチスロ機の構成を示す機能ブロック図である。
【図１０】図９に示した不正検知処理部による不正検知処理手順を示すフローチャートである。
【図１１】図１０のステップＳ３０８に示した不正検知及びＮＥ信号通知処理手順を示すフローチャートである。
【符号の説明】
【００８８】
１０  パチスロ機
１０ａ  ホッパ
１１  メダル貸し機
１２  メダル補給機
１２ａ  メダル補給路
１３  ホールコンピュータ
１３１  入力部
１３２  表示部
１３３  インターフェース部
１３４  記憶部
１３４ａ  売上管理データ
１３４ｂ  補給管理データ
１３４ｃ  不正検知用データ
１３５  制御部
１３５ａ  売上管理部
１３５ｂ  補給管理部
１３５ｃ  不正検知処理部
２１  パチスロ機
２１１  操作部
２１２  表示部
２１３，２１４  インターフェース部
２１５  ホッパ
２１６  メダル投出機構部
２１７  記憶部
２１７ａ  不正検知用データ
２１８  制御部
２１８ａ  パチスロ遊技処理部
２１８ｂ  不正検知処理部
２２  ホールコンピュータ
【図１】
2008073248.tif 000003
【図２】
2008073248.tif 000004
【図３−１】
2008073248.tif 000005
【図３−２】
2008073248.tif 000006
【図３−３】
2008073248.tif 000007
【図４】
2008073248.tif 000008
【図５】
2008073248.tif 000009
【図６】
2008073248.tif 000010
【図７】
2008073248.tif 000011
【図８】
2008073248.tif 000012
【図９】
2008073248.tif 000013
【図１０】
2008073248.tif 000014
【図１１】
2008073248.tif 000015